(57)【要約】【課題】キャビネット用扉のロック機構で、鍵穴を戸板の端部にでき、ロックする応力を戸板の補強部で受けることができ、簡単な構造で標準的な部品で構成でき、部品コストの増加を少なくする。【解決手段】リンクバー１０１の摺動する端部に取り付けられる摺動子１６１と、リンクバー１０１が摺動するレール３８上における、扉の閉状態における摺動子１６１の停止位置の近傍に形成される凹部３９と、凹部３９に対して摺動子１６１を介して嵌脱自在である嵌合手段１６２と、扉をロックする場合に、嵌合手段１６２を凹部３９に嵌合させるように動作する錠手段１５０とを有する【選択図】図５
2011117220.tif 000002
【特許請求の範囲】
【請求項１】
金属薄板製の３枚以上の引戸形式の戸板をリンクバーで接続することで同期連動させて開閉する扉のロック機構であって、
前記リンクバーの摺動する端部に取り付けられる摺動子と、
前記リンクバーが摺動するレール上における、前記扉の閉状態における前記摺動子の停止位置の近傍に形成される凹部と、
前記凹部に対して前記摺動子を介して嵌脱自在である嵌合手段と、
前記扉をロックする場合に、前記嵌合手段を前記凹部に嵌合させるように動作する錠手段と
を有するロック機構。
【請求項２】
前記嵌合手段は、前記摺動子上に、前記摺動子と接続されて設けられる
請求項１に記載のロック機構。
【請求項３】
前記嵌合手段は、前記錠手段の動作部に、前記摺動子を経由するように設けられる
請求項１に記載のロック機構。
【請求項４】
前記扉をロックしない場合に、前記嵌合手段を前記凹部に対して嵌合しない状態に維持する弾性手段を有する
請求項１〜３のいずれか１項に記載のロック機構。
【発明の詳細な説明】
【技術分野】
【０００１】
本発明は、キャビネット等の扉をロックする機構に関し、特に、３枚以上の引き戸形式の戸板をリンクバーを用いて同期連動させて開閉する扉のロック機構に関する。
【背景技術】
【０００２】
金属薄板製キャビネット等の３枚以上の戸板がリンクバーで同期連動する扉のロック機構としては、一般的な（Ａ）戸板の扉のように各戸板同士（少なくとも中央の戸板と両端側の何れかの戸板の組み合わせ）を固定する方法や、（Ｂ）両端の戸板の枠体側端部を対向する枠体と係合固定する方法の他に、（Ｃ）リンクバーを移動できないように固定する方法が提案されている。
【０００３】
（Ｃ）のリンクバーを固定する方法としては、例えば、以下のＣ１〜Ｃ４の方法が提案されている。
（Ｃ１）リンクバーの中央近辺に対向する戸板の位置にリンクバーを上下移動不能に固定可能な鍵を設ける方法（例えば、特許文献１参照）。
（Ｃ２）戸板の枠体側端部に設けた回転する鉤型部を有する鍵により、リンクバーの枠体側端部の摺動部の突出軸を移動不能に係止する方法（例えば、特許文献２参照）。
（Ｃ３）両端側のいずれかの戸板の枠体側端部に設けた鍵により、作動伝達機構を介して、リンクバーの中央近辺の摺動部を上下移動不能に固定する方法（例えば、特許文献３参照）。
（Ｃ４）両端側のいずれかの戸板の枠体側端部に設けた鍵により、作動伝達機構を介して、枠体から略戸板１枚分だけ離間しているリンクバーの端部を回転不能に固定する方法（例えば、特許文献４参照）。
【先行技術文献】
【特許文献】
【０００４】
【特許文献１】特開２００４１５６３５６号公報
【特許文献２】特開平１１−８１７８７号公報
【特許文献３】特開２０００−２８２７５３号公報
【特許文献４】特開２００４６０２９８号公報
【発明の概要】
【発明が解決しようとする課題】
【０００５】
しかしながら、上記（Ａ）と（Ｃ１）のように鍵を中央の戸板又は両端側の戸板における中央側に設ける方法では、鍵を枠体近辺の取っ手等の下に設ける場合と比較して、平坦な面の中に鍵穴部のみが存在してしまい外観のデザイン上好ましくないという問題があった。また、戸板をロックするための応力を戸板の表面側で支持するため、戸板の厚み寸法をによっては強度不足で戸板の表面が変形することがあった。
また、（Ｂ）の方法では、両端の戸板を固定するためには複数の鍵が必要になり、構成部品の増加があり、また、鍵は高価であるので部品コストが上がるという問題があった。
また、（Ｃ２）の方法では、摺動部の軸を突出させるので他より長い金属製の軸が必要になり、また、戸板をロックするための応力を戸板の表面側で支持するため、戸板の厚み寸法によっては強度不足で戸板の表面が変形することがあった。
また、（Ｃ３）と（Ｃ４）の方法では、部品が増えて構造が複雑になり、部品コストが上がるという問題があった。
【０００６】
そこで本発明は、上記の課題を解決するため、鍵穴を戸板の端部にでき、ロックする応力を戸板の補強部で受けることができ、簡単な構造で標準的な部品で構成でき、部品コストの増加が少ないキャビネット用扉のロック機構を提供することを目的とする。
【課題を解決するための手段】
【０００７】
上記課題を解決するために、本発明に係るロック機構は、金属薄板製の３枚以上の引戸形式の戸板をリンクバーで接続することで同期連動させて開閉する扉のロック機構であって、前記リンクバーの摺動する端部に取り付けられる摺動子と、前記リンクバーが摺動するレール上における、前記扉の閉状態における前記摺動子の停止位置の近傍に形成される凹部と、前記凹部に対して前記摺動子を介して嵌脱自在である嵌合手段と、前記扉をロックする場合に、前記嵌合手段を前記凹部に嵌合させるように動作する錠手段とを有する。
本態様によれば、鍵穴を戸板の端部にでき、ロックする応力を戸板の補強部で受けることができる。
【０００８】
好ましくは、嵌合手段は、摺動子上に、摺動子と接続されて設けられるようにしてもよい。
本態様によれば、嵌合手段を摺動子上に設けることで、簡単な構造で標準的な部品で構成でき、部品コストの増加を少なくすることができる。
【０００９】
好ましくは、嵌合手段は、錠手段の動作部に、摺動子を経由するように設けられるようにしてもよい。
本態様によれば、ロックする場合に嵌合手段が摺動子を経由することで簡単な構造でロックでき、部品の増加を少なくすることができる。
【００１０】
好ましくは、前記扉をロックしない場合に、前記嵌合手段を前記凹部に対して嵌合しない状態に維持する弾性手段を有するようにしてもよい。
本態様によれば、弾性手段を有することで、通常時にロックする事態を避けることができる。
【発明の効果】
【００１１】
本発明のキャビネット用扉のロック機構にれば、鍵穴を戸板の端部にでき、ロックする応力を戸板の補強部で受けることができ、簡単な構造で標準的な部品で構成でき、部品コストの増加を少なくすることができる。
【図面の簡単な説明】
【００１２】
【図１】本発明の第１の実施形態に係るキャビネット用扉をキャビネットに取り付けて閉じた状態（扉単体としては広げた状態）を示した図であり、（ａ）が正面図であり、（ｂ）が正面側の右斜め上から見た場合を示した斜視図である。
【図２】図１の閉じた状態のキャビネット用扉を裏側の斜め上から見た場合を示した斜視図である。
【図３】図２のキャビネット用扉におけるＡ−Ａ線断面及びその周辺のキャビネット部分を上側から見た場合を示した断面図である。
【図４】図２のキャビネット用扉の開いた状態（扉単体としては縮めた状態）を示した正面図である。
【図５】（ａ）〜（ｄ）は、図１〜図４のキャビネット用扉の鍵部周辺を拡大して示した図であり、（ａ）がロック状態の正面透視図、（ｂ）がロック状態の断面図、（ｃ）非ロック状態の正面透視図、（ｄ）非ロック状態の断面図である。
【図６】（ａ）〜（ｆ）は、図５の摺動ユニットの図であり、（ａ）が非ロック状態の斜視図、（ｂ）がロック状態の斜視図、（ｃ）が非ロック状態の正面図、（ｄ）がロック状態の正面図、（ｅ）が非ロック状態の側面図、（ｆ）がロック状態の側面図である。
【図７】図５（ｂ）の摺動ユニットを拡大して示した断面図である。
【発明を実施するための形態】
【００１３】
＜実施形態＞
本発明のキャビネット用扉のロック機構の実施の形態について、図面を用いて詳細に説明する。
まず、本実施形態のキャビネット用扉のロック機構の概略構成について図１〜図５用いて説明する。なお、図１（ａ）のキャビネット用扉をキャビネットに取り付けて閉じた状態とは、各戸板の重なり部分を減らして扉を広げた状態にすることで扉が閉じられた状態である。
【００１４】
キャビネット１は、平面状の左側面部、右側面部、上面部、下面部、及び、裏面部により５面が囲まれ、前面（正面）側が略矩形形状に開口した前面開口部となっている略直方体の形状である。扉１０は、キャビネット１の前面開口部に取り付けられて、前面開口部を開閉可能である。扉１０が本実施形態のような戸板をスライドさせて開閉する扉の場合、扉１０は、前面開口部を全面的に閉状態、又は、一部が開口して一部が閉じた状態の何れかにすることができる。
【００１５】
本実施形態の扉１０は、例えば、さび止めのメッキ又は塗装等の施された鉄板等の金属板により形成される。扉１０は、３枚の引き違い方式の戸板２０、４０、６０で構成される。複数枚の各戸板２０、４０、６０の上下左右の四辺には、折り曲げることによりで金属板の変形に対する強度を向上させた補強部２１、４１、６１が設けられる。
【００１６】
本実施形態では戸板２０、４０、６０が３枚であるので、各戸板２０、４０、６０は各々キャビネット１の左右方向の略１／３の均等寸法に近い値とする。このようにした場合、引き戸形式では、扉１０を開いたときの開口のスペースに無駄を無くして最大寸法の開口７にすることができる。また、各戸板を４枚以上にした場合、扉１０を開いたときの開口７のスペースをさらに広くすることができる。
【００１７】
戸板２０、４０の各補強部２１、４１には、キャビネットの内側になる面に、金属加工処理により、接続突起部１１１、１２１を補強部２１、４１、の長手方向に移動可能にするガイド溝３６、５６が長手方向に沿って形成される。戸板６０の補強部６１には、面に、金属加工処理により、支軸部用の軸受け穴が形成される。
【００１８】
リンク機能部１００は、支軸部を構成する支軸用ネジ１３１とナット１３２、及び接続突起部となる摺動ユニット１６０及び支軸部１１１、ローラ１２０及び支軸部１２１を有するリンク機能部１００と、補強部２１、４１のガイド溝３６、５６、及び、補強部６１の軸受け穴６５で構成される。
【００１９】
リンクバー１０１は、接続突起部となる摺動ユニット１６０及び支軸部１１１が取り付けられる支軸部用孔１０２、ローラ１２０及び支軸部１２１が取り付けられる支軸部用孔１０３と、リンクバー１０１を回動させる際の軸となる支軸部１３０が取り付けられるバー支軸部用孔１０４を有する。また、リンクバー１０１の接続突起部１１１には、ガイド溝３６内を移動可能な摺動ユニット１６０が設けられ、リンクバー１０１の接続突起部１２１には、ガイド溝５６内を移動可能なローラ１２０が設けられる。なお、接続突起部１２１に、ローラ１２０に代えて後述する摺動子１６１と類似する摺動手段を設けてもよい。
【００２０】
補強部２１では、キャビネットの内側になる面に設けられたガイド溝３６と、戸板２０、４０、６０を連動して開閉させるための接続突起部となる摺動ユニット１６０及び支軸部１１１とが接続される。補強部４１では、キャビネットの内側になる面に設けられたガイド溝５６と、各戸板２０、４０、６０を連動して開閉させるための接続突起部となるローラ１２０及び支軸部１２１とが接続される。補強部６１では、キャビネットの内側になる面に設けられた支軸部用の軸受け穴６５と、各戸板２０、４０、６０を連動して開閉させるための支軸部となる支軸用ネジ１３１とがナット１３２により接続される。このようにして各補強部２１、４１、６１は、キャビネットの内側になる面で、リンクバー１０１により接続される。
【００２１】
ガイド溝３６、５６は、各戸板２０、４０、６０毎に、リンクバー１０１との接続部１１１、１２１、１３１の高さ位置に応じて個別に高さ位置が設定され、リンクバー１０１との当該接続部１１１、１２１、１３１の移動範囲に応じてガイド孔部２５及び４５の形成距離が設定される。
【００２２】
また、ガイド溝３６、ガイド孔部２５、及び、摺動ユニット挿入孔部２６の関係については、図２及び図３に示したようにガイド溝３６は、戸板２０の一方の側端補強部２１内に、摺動ユニット１６０の直径よりもやや大きい幅で、摺動ユニット１６０がストレス無く移動可能に設けられる。又、ガイド溝５６は、ローラ１２０の直径よりもやや大きい幅で、ローラ１２０がストレス無く移動可能に設けられる。
【００２３】
以下、戸板２０の補強部２１、戸板４０の補強部４１、戸板６０の補強部６１を個別に説明することは煩雑になるので、同様な内容については戸板２０の補強部２１についてのみ説明して、戸板４０と戸板６０の確補強部については読み替えることとする。
【００２４】
補強部２１では、折り曲げが複数回実施されて複数の折り曲げ部と複数の補強用平面が形成される。本施形態では、端部に最も近い各補強用平面が元の戸板の金属板に対して非固定状態である。
【００２５】
また、補強部２１は、図３に示したように金属板の折り曲げが３回以上実施され、複数の折り曲げにより補強用平面のうちの少なくとも３面以上が形成された断面箱型形状を少なくとも有している。
【００２６】
次に、図５、図６、図７を参照して本実施形態のロック機構について説明する。本実施形態のロック機構は、概略としては、リンクバー１０１の端部の接続突起部１１１に設けられた摺動ユニット１６０と、第１戸板の取っ手８１の下部に取り付けられた扉の鍵手段１５０から構成される。
【００２７】
本実施形態のロック機構は、金属薄板製の３枚以上の引戸形式の戸板２０、４０、６０をリンクバー１０１で接続することで同期連動させて開閉する扉１０のロック機構であり、補強部２１の内側面に設けられた、リンクバー１０１の可動端部の摺動子１６１を、嵌合手段１６２を用いてレール３８上で固定するものである。そのためロック機構は、補強部２１の内側面におけるガイド孔部２５の両脇のレール３８上に、嵌合手段１６２を固定するための凹部３９を有している。また、凹部３９は、摺動子１６１のロック位置に設けられる。また、摺動子１６１にも嵌合手段１６２補強部２１の内側面は、ロック機構による摺動子１６１の固定に必要な強度を有している。
【００２８】
キャビネットの内側になる面に実施される金属加工処理は、ガイド溝３６のガイド孔部２５に対する加工が打ち抜き加工であり、支軸部１３０用の軸受け穴６５に対する加工が穿設加工である。リンクバー１０１の接続突起部１１１、１２１又は摺動ユニット１６０１２０は、打ち抜き加工されたガイド溝３６、５６のガイド孔部２５に摺動ユニット挿入孔部２６を介して挿入される。リンクバー１０１の支軸部１３０は、穿設加工された軸受け穴６５に回動自在に固定される。
【００２９】
凹部３９は、リンクバー１０１が摺動するレール３８上において、扉１０の閉状態における摺動子１６１の停止位置、又は、その近傍に形成される。
【００３０】
錠手段１５０は、鍵を鍵穴に挿入して回した場合の動作部として、鍵アーム部１５１と鍵押圧部１５２を有する。鍵アーム部１５１は、鍵を回した場合、嵌合手段１６２の方向へ直線的に延伸され、その先端の鍵押圧部１５２が接触部１７２を押圧する。すると、接触部１７２と一体に形成されている突出部１７３が、弾性手段１６３を圧縮しながら押圧され、最終的にレール３８に設けられた凹部３９に挿入される。
【００３１】
鍵押圧部１５２は、嵌合手段１６２に対して略直線状に動作し、扉１０をロックする場合に、嵌合手段１６２を凹部３９に嵌合させるように動作する。なお、鍵押圧部１５２は、最終的にレール３８に設けられた凹部３９に突出部１７３を挿入できれば、嵌合手段１６２に対して、錠手段１５０の軸を中心とする略円弧状に動作するようにしてもよい。
【００３２】
キャビネットの内側になる面に実施されるガイド溝３６、５６の打ち抜き加工では、ガイド溝３６、５６の最上部に摺動ユニット１６０が挿入可能なユニットのの外寸よりも大きい開口部（摺動ユニット挿入孔部２６）が設けられ、当該大きい開口部（摺動ユニット挿入孔部２６）の下部は、摺動子１６１のリード部１７５よりも内側の摺動子１６１本体部分のみが移動可能な幅に、ガイド溝３６のガイド孔部２５が形成される。ガイド孔部２５の両脇が摺動ユニット１６０に摺動させるレール３８となる。
【００３３】
摺動子１６１は、摺動ユニット１６０における一部であり、リンクバー１０１の摺動する端部に取り付けられる。つまり、摺動子１６１は、扉１０の端部の戸板２０における金属薄板の端部を折り曲げて形成された側端補強部２１にスリット状に設けられたレール３８に沿って、補強部２１内で摺動可能であるように、リンクバー１０１の端部におけるレール３８との結合部に接続突起部１１１で取り付けられる。また、摺動子１６１は、複数のリード部１７５の厚み方向の隙間に、ガイド孔部２５の両脇のレール３８を挟み込むように摺動ユニット挿入孔部２６から挿入される。
【００３４】
嵌合手段１６２は、凹部３９に対して摺動子１６１を介して嵌脱自在に設けられる。嵌合手段１６２は、摺動子１６１上に、摺動子１６１と接続され、凹部３９のレール３８面に対して略直交方向で、略直線的に動作するように設けられる。また、嵌合手段１６２は、凹部３９と嵌合する位置に錠手段１５０の鍵押圧部１５２を導くテーパー部を有する。
【００３５】
なお、本実施形態の嵌合手段１６２は、図示した実施形態に限らず、例えば、凹部３９のレール３８面に対して略直交方向で、回転軸を中心とする略円弧方向に動作するように設けてもよい。また、嵌合手段１６２は、摺動子１６１を経由して嵌合するようにすれば、錠手段１５０の動作部に設けられてもよい。
【００３６】
弾性手段１６３は、例えば、バネであり、扉１０をロックしない場合に、嵌合手段１６２を凹部３９に対して嵌合しない方向に付勢して、非嵌合状態を維持させる。
【００３７】
このように本実施形態では、摺動ユニット１６０をガイド溝３６内で移動させることでリンクバーの移動が円滑になり、その結果各戸板を円滑に開閉できる。また、本実施形態では、摺動ユニット１６０をガイド溝３６内に設置することが容易で、摺動ユニット１６０の移動も容易にできる。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００３９】
１  キャビネット、
１０  扉
２０  （最外側の）第１戸板、
２１  （第１戸板の第１側端部の）側端補強部、
２５  （第１戸板の第１側端部の補強部の）ガイド孔部、
２６  （第１戸板の第１側端部の補強部の）摺動ユニット挿入孔部、
２７  （第１戸板の）第１側端部、
３６  （第１戸板の）ガイド溝部
３８  （ガイド溝部両端の）レール、
３９  （レールの）凹部、
４０  （中間）第２戸板
４１  （第２戸板の第１側端部の）側端補強部、
４５  （第２戸板の第１側端部の補強部の）ガイド孔部、
４６  （第２戸板の第１側端部の補強部の）ローラ挿入孔部、
４７  （第２戸板の）第１側端部、
５６  （第２戸板の）ガイド溝部
６０  （最内側）第３戸板
６１  （第３戸板の第１側端部の）側端補強部、
６５  （第３戸板の第１側端部の補強部の）支軸部用の軸受け穴、
６７  （第３戸板の）第１側端部、
８１  （第１戸板用）取手、
８２  （第３戸板用）取手、
９１  キャビネット側扉受け部、
１００  リンク機能部、
１０１  リンクバー、
１０２  支軸部用孔
１０３  支軸部用孔
１０４  支軸部用孔
１１１  （第１戸板のローラの）支軸部、
１２０  ローラ
１２１  （第２戸板のローラの）支軸部、
１３０  支軸部、
１３１  支軸用ネジ、
１３２  ナット、
１３５  支軸固定具、
１５０  鍵手段、
１５１  鍵アーム部、
１５２  鍵押圧部、
１６０  摺動ユニット、
１６１  摺動子、
１６２  嵌合手段、
１６３  弾性手段、
１７１  回動軸、
１７２  接触部、
１７３  突出部、
１７５  リード部。
【図１】
2011117220.tif 000003
【図２】
2011117220.tif 000004
【図３】
2011117220.tif 000005
【図４】
2011117220.tif 000006
【図５】
2011117220.tif 000007
【図６】
2011117220.tif 000008
【図７】
2011117220.tif 000009